(57)【要約】【課題】専用の部材や特別な工法を用いることなく耐風強度を確保できる腰壁を提供する。【解決手段】住宅１に設けられた腰壁であって、腰壁１００の上端部に横架された上梁１２０と、下端部が住宅１の基礎２に固定されると共に上端部が上梁１２０の長手方向における中途部と固定された中間通し柱１１３と、を具備する。【選択図】図７
2018115451.tif 000002
【特許請求の範囲】
【請求項１】
建築物に設けられた腰壁であって、
前記腰壁の上端部に横架された第一の横架材と、
下端部が前記建築物の基礎に固定されると共に上端部が前記第一の横架材の横架方向における中途部と固定された通し柱と、を具備する、
ことを特徴とする腰壁。
【請求項２】
前記第一の横架材は、
前記横架方向において前記通し柱を挟んだ一方側と他方側とが別体で形成されている、
請求項１に記載の腰壁。
【請求項３】
前記第一の横架材の下方で横架された第二の横架材をさらに具備し、
前記通し柱は、
前記第二の横架材に固定されている、
請求項１又は請求項２に記載の腰壁。
【請求項４】
前記第二の横架材は、
前記横架方向において前記通し柱を挟んだ一方側と他方側とが別体で形成されている、
請求項３に記載の腰壁。
【請求項５】
前記第二の横架材は、
前記腰壁の下部に横架された第三の横架材と、
上下方向において前記第一の横架材と前記第三の横架材との間の中途部に横架された第四の横架材と、を含み、
前記第四の横架材は、
前記第一の横架材及び前記第三の横架材よりも前記上下方向の幅が長く形成されている、
請求項４に記載の腰壁。
【請求項６】
前記第四の横架材は、
前記上下方向に互いに離間して複数配置されている、
請求項５に記載の腰壁。
【発明の詳細な説明】
【技術分野】
【０００１】
本発明は、建築物に設けられた腰壁の技術に関する。
【背景技術】
【０００２】
従来、建築物に設けられた腰壁の技術は公知となっている。例えば、特許文献１に記載の如くである。
【０００３】
特許文献１に記載の腰壁においては、上端部に横架された所定の横架材を具備する。前記横架材は、水平板状のウェブの両端部にそれぞれ垂直板状のフランジが突設されると共に、建築物側のフランジに上方へ延出した突出部が一体的に形成され、断面視略Ｈ字状に構成される。そして、前記腰壁においては、上述の如き構成の横架材に対して、屋外側のフランジに上枠材が載置されると共に、当該上枠材の建築物側の面を突出部の板面に屋外側から当接させる。そして、建築物側からネジが打ち込まれることによって、上枠材と突出部とが固定される。
【０００４】
このような構成により、前記腰壁は、面外方向からの力（例えば風圧）に対して高い強度（耐風強度）を確保することができる。
【先行技術文献】
【特許文献】
【０００５】
【特許文献１】特開２００７−９４４１号公報
【発明の概要】
【発明が解決しようとする課題】
【０００６】
しかしながら、特許文献１に記載の腰壁においては、上述の如き構成の横架材等の専用の部材を用いる必要があるため、部品コストが増大したり、特別な工法を用いて施工性が悪化したりする等の不都合があった。
【０００７】
本発明は以上の如き状況を鑑みてなされたものであり、その解決しようとする課題は、専用の部材や特別な工法を用いることなく耐風強度を確保できる腰壁を提供するものである。
【課題を解決するための手段】
【０００８】
本発明の解決しようとする課題は以上の如くであり、次にこの課題を解決するための手段を説明する。
【０００９】
即ち、請求項１においては、建築物に設けられた腰壁であって、前記腰壁の上端部に横架された第一の横架材と、下端部が前記建築物の基礎に固定されると共に上端部が前記第一の横架材の横架方向における中途部と固定された通し柱と、を具備するものである。
【００１０】
請求項２においては、前記第一の横架材は、前記横架方向において前記通し柱を挟んだ一方側と他方側とが別体で形成されているものである。
【００１１】
請求項３においては、前記第一の横架材の下方で横架された第二の横架材をさらに具備し、前記通し柱は、前記第二の横架材に固定されているものである。
【００１２】
請求項４においては、前記第二の横架材は、前記横架方向において前記通し柱を挟んだ一方側と他方側とが別体で形成されているものである。
【００１３】
請求項５においては、前記第二の横架材は、前記腰壁の下部に横架された第三の横架材と、上下方向において前記第一の横架材と前記第三の横架材との間の中途部に横架された第四の横架材と、を含み、前記第四の横架材は、前記第一の横架材及び前記第三の横架材よりも前記上下方向の幅が長く形成されているものである。
【００１４】
請求項６においては、前記第四の横架材は、前記上下方向に互いに離間して複数配置されているものである。
【発明の効果】
【００１５】
本発明の効果として、以下に示すような効果を奏する。
【００１６】
請求項１においては、専用の部材や特別な工法を用いることなく耐風強度を確保できる。
【００１７】
請求項２においては、耐風強度を効果的に確保できる。
【００１８】
請求項３においては、耐風強度を効果的に確保できる。
【００１９】
請求項４においては、耐風強度を効果的に確保できる。
【００２０】
請求項５においては、耐風強度を効果的に確保できる。
【００２１】
請求項６においては、耐風強度を効果的に確保できる。
【図面の簡単な説明】
【００２２】
【図１】本発明の第一実施形態に係る腰壁が設けられた住宅を示した正面図。
【図２】（ａ）同じく、側面図。（ｂ）図２（ａ）の一部断面図。
【図３】住宅の一階の構成を示した平面図。
【図４】住宅の二階の構成を示した平面図。
【図５】住宅の南西部分を示した斜視図。
【図６】腰壁の構造を示した斜視図。
【図７】腰壁の構造を示した正面図。
【図８】本発明の第二実施形態に係る腰壁の構造を示した正面図。
【発明を実施するための形態】
【００２３】
以下では、図中の矢印に基づいて、東西方向、南北方向及び上下方向を定義して説明を行う。なお、後述する住宅１においては、南側が正面側であるものとする。
【００２４】
以下では、図１から図５を用いて、本発明の第一実施形態に係る腰壁１００が設けられた住宅１の概要について説明する。
なお、図５においては、簡略化のために屋根４の図示を省略している。
【００２５】
図１及び図２に示すように、住宅１は、一戸建ての住宅であり、具体的には二階建ての木造住宅である。住宅１は、主として基礎２と、当該基礎２の上方に設けられた建物本体３（構造躯体）と、前記建物本体３の上方に設けられた屋根４と、後述するバルコニー４９の周囲等に設けられた腰壁１００と、を具備する。建物本体３には、屋内空間を取り囲むように形成された外壁１０が含まれる。なお図面において、腰壁１００は、外壁１０と区別するために、適宜二点鎖線の斜線部分により図示を行っている。なお、外壁１０及び腰壁１００の構成についての詳細な説明は後述する。住宅１の一階及び二階には、種々の部屋や区画が形成される。
【００２６】
まず、図３を用いて、住宅１の一階の構成について説明する。
【００２７】
住宅１の一階には、玄関ポーチ２１、玄関２２、一階廊下２３、一階トイレ２４、折り返し階段２５、リビング２６、ダイニング２７、キッチン２８、洗面室２９、浴室３１及びテラス３２が形成される。
【００２８】
玄関ポーチ２１は、一階の南東部分に形成される。玄関ポーチ２１の北側には、玄関２２が形成される。玄関２２には、玄関扉３３が設けられる。一階廊下２３は、玄関２２から西側へ延びるように形成される。一階廊下２３の北側には、一階トイレ２４が形成される。また、一階廊下２３の北側、且つ、一階トイレ２４の西側には、折り返し階段２５が形成される。折り返し階段２５の下方には、階段下収納３４が設けられる。
【００２９】
一階廊下２３の南側には、リビング２６が形成される。リビング２６の西側には、リビング側扉３５が形成される。
【００３０】
一階廊下２３の西側の突き当り部分には、ダイニング２７が形成される。ダイニング２７の南側には、ダイニング側扉３６が形成される。ダイニング２７の西側には、当該ダイニング２７と連接してキッチン２８が形成される。キッチン２８の南側には、キッチン側扉３７が形成される。
【００３１】
キッチン２８の西側には、洗面室２９が形成される。洗面室２９の北側には、浴室３１が形成される。洗面室２９の南側には、テラス３２が形成される。
【００３２】
このような構成の住宅１の一階においては、テラス３２が、屋外に形成されると共に、ダイニング２７、キッチン２８及び洗面室２９に沿って、東西方向に長く形成される。住宅１の居住者は、リビング側扉３５、ダイニング側扉３６又はキッチン側扉３７を介して、住宅１の屋内と屋外（テラス３２）とを行き来することができる。
【００３３】
次に、図４及び図５を用いて、住宅１の二階の構成について説明する。
【００３４】
住宅１の二階には、洋和室４２、第一洋室４３、二階廊下４４、折り返し階段２５、二階トイレ４５、第二洋室４６、主寝室４７、床座４８、バルコニー４９及び吹き抜け部５１が形成される。
【００３５】
洋和室４２は、二階の北東部分に形成される。洋和室４２の南側には、第一洋室４３が形成される。二階廊下４４は、洋和室４２及び第一洋室４３の出入り口近傍から西側へ延びるように形成される。二階廊下４４の北側には、折り返し階段２５が形成される。また、二階廊下４４の北側、且つ、折り返し階段２５の南西側には、二階トイレ４５が形成される。
【００３６】
二階廊下４４の南側、且つ、第一洋室４３の西側には、第二洋室４６が形成される。第二洋室４６には、第二洋室窓５４が設けられる。第二洋室４６の西側には、吹き抜け部５１が形成される。吹き抜け部５１は、一階（テラス３２）を屋上へと解放させる。吹き抜け部５１の南側部分には、後述するバルコニー４９の南側部分に形成された腰壁１００が、東側に延びるように形成される。
【００３７】
二階廊下４４の西側の突き当り部分には、主寝室４７が形成される。主寝室４７は、東西方向に長く形成され、その北東側部分にウォークインクロゼット５５が設けられる。主寝室４７の南側には、吹き抜け部５１が形成される。主寝室４７には、主寝室窓５６が設けられる。
【００３８】
主寝室４７の西側には、床座４８が形成される。床座４８の南側、且つ、吹き抜け部５１の西側には、バルコニー４９が形成される。バルコニー４９の上方は、屋根４が設けられず、屋外へと解放される。バルコニー４９の東側（吹き抜け部５１側）部分には、ガラスパネル手摺５７が設けられる。また、バルコニー４９の南側及び西側部分には、腰壁１００が形成される。
【００３９】
このような構成の住宅１の二階においては、吹き抜け部５１が、屋外に形成されると共に、主寝室４７に沿って東西方向に長く形成される。こうして、住宅１の居住者は、第二洋室窓５４、主寝室窓５６又はガラスパネル手摺５７を介して、吹き抜け部５１（ひいては、一階に形成されたテラス３２）を視認することができる。また、吹き抜け部５１及び主寝室窓５６を介して、北西部分に形成された主寝室４７へと、南方向からの太陽光を取り入れることができる。
【００４０】
以下では、図１から図５を用いて、外壁１０の構成について詳細に説明する。
【００４１】
外壁１０は、複数の柱や梁、外壁材等によって構成される。複数の柱は、それぞれ長手方向を上下方向へ向け、水平方向に所定の間隔をあけて配置される。複数の柱には、通し柱１１０や管柱１１５等が含まれる。図３及び図４に示すように、通し柱１１０及び管柱１１５は、住宅１の構成に応じて適宜な箇所に配置される。
【００４２】
外壁１０は、住宅１の東側、西側、南側及び北側の四方において、当該住宅１の屋内空間と屋外空間とを仕切るように形成される。四方のうち、東側、西側及び北側の外壁１０は、平面視で直線状に延びるように形成される。西側の外壁１０は、前記バルコニー４９の西側部分の腰壁１００と一体的に形成される。また、西側の外壁１０のうち、南側の下部には、開口部（裏口３８）が形成される。裏口３８の奥側（東側）には、テラス３２が形成される。
【００４３】
四方のうち、南側の外壁１０は、平面視で東側部分が直線状に延びると共に、西側の一部分が北側に凹むように形成される。なお以下では、南側の外壁１０のうち、前記東側部分を「第一南側外壁１１」と称し、前記凹むように形成された部分を「第二南側外壁１２」と称し、最も西側の部分を「第三南側外壁１３」と称する。
【００４４】
第一南側外壁１１の東側の下部には、開口部（玄関ポーチ２１）が形成される。玄関ポーチ２１の奥側（北側）には、玄関２２が形成される。第二南側外壁１２は、上述の如く、北側に凹むように形成されることにより、テラス３２及び吹き抜け部５１を区画する。第一南側外壁１１と第三南側外壁１３とは、東西方向に互いに離間して形成される。第一南側外壁１１と第三南側外壁１３との間（テラス開放部３９）の奥側（北側）には、テラス３２が形成される。
【００４５】
第一南側外壁１１及び第二南側外壁１２は、上下方向において、住宅１の一階及び二階に亘るように形成される。これに対して、第三南側外壁１３は、上下方向において、住宅１の一階部分にのみ形成される。第三南側外壁１３及びテラス開放部３９の上方には、前記バルコニー４９の南側部分の腰壁１００が形成される。第一南側外壁１１、第二南側外壁１２及び第三南側外壁１３は、前記バルコニー４９の南側部分の腰壁１００と一体的に形成される。
【００４６】
以下では、図３から図７を用いて、本発明の第一実施形態に係る腰壁１００の構成について詳細に説明する。
【００４７】
ここで、本実施形態において、腰壁１００は、バルコニー４９の南側及び西側部分に形成されている。以下では、バルコニー４９の南側部分に形成された腰壁１００について説明するものとする。また、以下の説明において「腰壁１００」とは、バルコニー４９の南側部分に形成された腰壁を指すものとする。
【００４８】
なお、図６及び図７は、腰壁１００の構造を説明するための図であり、外壁材等の図示を省略している。
【００４９】
腰壁１００は、面方向を南北方向へ向けると共に、平面視で東西方向に直線状に延びるように形成される。腰壁１００の上端部は、東西方向（水平方向）における両端部を除いて、自由端となっている（例えば、控え梁のような部材で拘束されていない）。本実施形態に係る腰壁１００は、面外方向からの力（例えば風圧）に対して高い強度（耐風強度）を確保するように形成される。なお、面外方向とは、腰壁１００の面に対して垂直な方向（本実施形態においては、南北方向）を指すものとする。腰壁１００は、通し柱１１０、上梁１２０、下梁１３０、中間梁１４０、束材１５０及び控え梁１６０を具備する。
【００５０】
通し柱１１０は、一階から二階へと階を跨ぐように形成された柱である。通し柱１１０の下端部は、基礎２（より詳細には、基礎２に設けられた土台）に固定される。腰壁１００において通し柱１１０は、複数（本実施形態においては、３本）設けられる。なお以下では、腰壁１００を構成する３本の通し柱１１０のうち、最も西側に配置される通し柱１１０を「西側通し柱１１１」と称し、最も東側に配置される通し柱１１０を「東側通し柱１１２」と称し、西側通し柱１１１と東側通し柱１１２との間に配置される通し柱１１０を「中間通し柱１１３」と称する。
【００５１】
西側通し柱１１１は、上述の如く３本の通し柱１１０のうち、最も西側に配置された通し柱である。西側通し柱１１１は、腰壁１００だけでなく、住宅１の外壁１０を構成している。具体的には、西側通し柱１１１は、第三南側外壁１３の最も西側に配置される。こうして、西側通し柱１１１は、平面視で住宅１の南西部分の隅部に配置される。西側通し柱１１１の上端部は、腰壁１００の最上部に位置している。西側通し柱１１１は、中間通し柱１１３と、当該西側通し柱１１１の北側に隣接する通し柱（図３及び図５に示す、通し柱１１０ａ）と、のそれぞれの間に、バルコニー４９の床部を支持するための梁が横架される。
【００５２】
東側通し柱１１２は、上述の如く３本の通し柱１１０のうち、最も東側に配置された通し柱である。東側通し柱１１２は、腰壁１００だけでなく、住宅１の外壁１０を構成している。具体的には、東側通し柱１１２は、第一南側外壁１１の最も西側に配置される。こうして、東側通し柱１１２は、平面視でリビング２６及び第二洋室４６の南西部分の隅部に配置される。東側通し柱１１２の上端部は、腰壁１００の最上部よりも上方（建物本体３の最上部）に位置している。東側通し柱１１２は、当該東側通し柱１１２の北側に隣接する通し柱（図３及び図５に示す、通し柱１１０ｂ）と、当該東側通し柱１１２の東側に隣接する通し柱（図３に示す、通し柱１１０ｃ）と、のそれぞれの間に、第二洋室４６等の床部を支持するための梁が横架される。
【００５３】
中間通し柱１１３は、上述の如く３本の通し柱１１０のうち、西側通し柱１１１と東側通し柱１１２との間に配置された通し柱である。中間通し柱１１３は、腰壁１００だけでなく、住宅１の外壁１０を構成している。具体的には、中間通し柱１１３は、第三南側外壁１３の最も東側に配置される。こうして、中間通し柱１１３は、平面視でバルコニー４９の南東部分の隅部に配置される。中間通し柱１１３の上端部は、腰壁１００の最上部に位置している。
【００５４】
上梁１２０は、３本の通し柱１１０（西側通し柱１１１、中間通し柱１１３及び東側通し柱１１２）を水平に連結する梁（頭つなぎ）である。上梁１２０は、面外方向への力に対し曲げ破壊しない断面を有した耐風梁により構成される。すなわち、上梁１２０は、面外方向への力による変形に対して抵抗し得るように構成される。本実施形態において、上梁１２０は、上下方向幅（図７に示すＷ１）が３９ｃｍとなるように形成される。また、上梁１２０は、東西方向（長手方向）の長さ（図７に示すＬ３）が８００ｃｍとなるように形成される。
【００５５】
上梁１２０は、東西方向における西側部分と東側部分とが別体として形成される。具体的には、上梁１２０は、東西方向において、中間通し柱１１３を挟んで２つに分割（分断）されている。なお以下では、上梁１２０の前記西側部分を「西側上梁１２１」と称し、前記東側部分を「東側上梁１２２」と称する。
【００５６】
西側上梁１２１は、西側通し柱１１１と中間通し柱１１３との間に横架される。西側上梁１２１の西側端部は、西側通し柱１１１に固定される。また、西側上梁１２１の東側端部は、中間通し柱１１３に固定される。なお、西側上梁１２１と、西側通し柱１１１及び中間通し柱１１３と、の固定は、一般的な柱梁接合金物を使用して行われる。本実施形態において、西側上梁１２１は、東西方向（長手方向）の長さ（図７に示すＬ１）が２００ｃｍとなるように形成される。
【００５７】
東側上梁１２２は、中間通し柱１１３と東側通し柱１１２との間に横架される。東側上梁１２２の西側端部は、中間通し柱１１３に固定される。また、東側上梁１２２の東側端部は、東側通し柱１１２に固定される。なお、東側上梁１２２と、中間通し柱１１３及び東側通し柱１１２と、の固定は、一般的な柱梁接合金物を使用して行われる。本実施形態において、東側上梁１２２は、東西方向（長手方向）の長さ（図７に示すＬ２）が６００ｃｍとなるように形成される。
【００５８】
下梁１３０は、３本の通し柱１１０（西側通し柱１１１、中間通し柱１１３及び東側通し柱１１２）の上下方向の中途部（腰壁１００の下部（下端部近傍））を連結する梁である。本実施形態において、下梁１３０は、上下方向幅（図７に示すＷ３）が３９ｃｍとなるように形成される。また、下梁１３０は、東西方向（長手方向）の長さ（図７に示すＬ３）が８００ｃｍとなるように形成される。
【００５９】
下梁１３０は、東西方向における西側部分と東側部分とが別体として形成される。具体的には、下梁１３０は、東西方向において、中間通し柱１１３を挟んで２つに分割（分断）されている。なお以下では、下梁１３０の前記西側部分を「西側下梁１３１」と称し、前記東側部分を「東側下梁１３２」と称する。なお、西側下梁１３１及び東側下梁１３２は、配置される位置を除いて、西側上梁１２１及び東側上梁１２２とそれぞれ略同様に構成される。
【００６０】
具体的には、西側下梁１３１は、西側通し柱１１１と中間通し柱１１３との間に横架される。西側下梁１３１の西側端部は、西側通し柱１１１に固定される。また、西側下梁１３１の東側端部は、中間通し柱１１３に固定される。なお、西側下梁１３１と、西側通し柱１１１及び中間通し柱１１３と、の固定は、一般的な柱梁接合金物を使用して行われる。本実施形態において、西側下梁１３１は、東西方向（長手方向）の長さ（図７に示すＬ１）が２００ｃｍとなるように形成される。
【００６１】
東側下梁１３２は、中間通し柱１１３と東側通し柱１１２との間に横架される。東側下梁１３２の西側端部は、中間通し柱１１３に固定される。また、東側下梁１３２の東側端部は、東側通し柱１１２に固定される。なお、東側下梁１３２と、中間通し柱１１３及び東側通し柱１１２と、の固定は、一般的な柱梁接合金物を使用して行われる。本実施形態において、東側下梁１３２は、東西方向（長手方向）の長さ（図７に示すＬ２）が６００ｃｍとなるように形成される。
【００６２】
中間梁１４０は、３本の通し柱１１０（西側通し柱１１１、中間通し柱１１３及び東側通し柱１１２）の上下方向の中途部（上梁１２０と下梁１３０との間）を連結する梁である。中間梁１４０は、上下方向において上梁１２０と下梁１３０との間の略中央に配置される。
【００６３】
本実施形態において、中間梁１４０は、上下方向幅（図７に示すＷ２）が４２ｃｍとなるように形成される。すなわち、中間梁１４０は、上梁１２０及び下梁１３０それぞれよりも上下方向幅が長く形成される。換言すれば、中間梁１４０は、腰壁１００に設けられた複数の梁のうち、最も上側に配置された梁（上梁１２０）及び最も下側に配置された梁（下梁１３０）よりも上下方向幅が長く形成される。また、中間梁１４０は、東西方向（長手方向）の長さ（図７に示すＬ３）が８００ｃｍとなるように形成される。
【００６４】
中間梁１４０は、東西方向における西側部分と東側部分とが別体として形成される。具体的には、中間梁１４０は、東西方向において、中間通し柱１１３を挟んで２つに分割（分断）されている。なお以下では、中間梁１４０の前記西側部分を「西側中間梁１４１」と称し、前記東側部分を「東側中間梁１４２」と称する。なお、西側中間梁１４１及び東側中間梁１４２は、配置される位置を除いて、西側上梁１２１及び東側上梁１２２とそれぞれ略同様に構成される。
【００６５】
具体的には、西側中間梁１４１は、西側通し柱１１１と中間通し柱１１３との間に横架される。西側中間梁１４１の西側端部は、西側通し柱１１１に固定される。また、西側中間梁１４１の東側端部は、中間通し柱１１３に固定される。なお、西側中間梁１４１と、西側通し柱１１１及び中間通し柱１１３と、の固定は、一般的な柱梁接合金物を使用して行われる。本実施形態において、西側中間梁１４１は、東西方向（長手方向）の長さ（図７に示すＬ１）が２００ｃｍとなるように形成される。
【００６６】
東側中間梁１４２は、中間通し柱１１３と東側通し柱１１２との間に横架される。東側中間梁１４２の西側端部は、中間通し柱１１３に固定される。また、東側中間梁１４２の東側端部は、東側通し柱１１２に固定される。なお、東側中間梁１４２と、中間通し柱１１３及び東側通し柱１１２と、の固定は、一般的な柱梁接合金物を使用して行われる。本実施形態において、東側中間梁１４２は、東西方向（長手方向）の長さ（図７に示すＬ２）が６００ｃｍとなるように形成される。
【００６７】
このような構成の上梁１２０、下梁１３０及び中間梁１４０において、上梁１２０の上端部から下梁１３０の下端部までの上下方向幅（図７に示すＷ４）は、１８０ｃｍとなるように形成される。こうして、これらの梁に外壁材等が取り付けられた腰壁１００は、全体として高さ（上下方向幅）が１８０ｃｍ以上となる。
【００６８】
また、本実施形態においては、上梁１２０の上端部から下梁１３０の下端部までの上下方向幅（すなわち、１８０ｃｍ）のうち、当該上梁１２０、下梁１３０及び中間梁１４０の上下方向幅の合計（１２０ｃｍ）が占める割合が、約６割に設定される。
【００６９】
束材１５０は、複数設けられ、上梁１２０と中間梁１４０との間や、中間梁１４０と下梁１３０との間に適宜配置されるものである。本実施形態において、束材１５０は、東西方向に互いに隣接する束材１５０（または、通し柱１１０）との間の長さ（図７に示すＬ４）が１００ｃｍとなるように形成される。
【００７０】
控え梁１６０は、腰壁１００の面外方向への変形を抑制するための梁である。控え梁１６０は、長手方向を南北方向（すなわち、面外方向）へ向けて配置される。控え梁１６０は、下梁１３０の長手方向中途部（より詳細には、東側下梁１３２の長手方向における中央部）と、通し柱１１０ａ及び通し柱１１０ｂの間に配置された通し柱（図３及び図５に示す、通し柱１１０ｄ）との間に横架される。控え梁１６０の南側端部は、東側下梁１３２に固定される。控え梁１６０の北側端部は、通し柱１１０ｄに固定される。
【００７１】
以上のように、第一実施形態に係る腰壁１００は、
住宅１（建築物）に設けられた腰壁であって、
前記腰壁１００の上端部に横架された上梁１２０（第一の横架材）と、
下端部が住宅１の基礎２に固定されると共に上端部が前記上梁１２０（第一の横架材）の長手方向（横架方向）における中途部と固定された中間通し柱１１３（通し柱）と、を具備するものである。
【００７２】
このような構成により、腰壁１００は、専用の部材や特別な工法を用いることなく耐風強度を確保できる。
【００７３】
具体的には、腰壁１００は、例えば南側から北側へ吹く風による風圧を受けるものであるため、面外方向に変形し（撓み）易いものである。しかしながら、腰壁１００においては、上述の如く中間通し柱１１３が上梁１２０の長手方向における中途部と固定されている。ここで、中間通し柱１１３とは、住宅１の基礎２に固定されるものであって、建物本体３を構成するものである。したがって、腰壁１００が風圧を受けた場合であっても、面外方向への変形を効果的に抑制することができる。
【００７４】
また、中間通し柱１１３は、上述の如く建物本体３を構成するものであり、住宅１の一般的な構成部材である。したがって、腰壁１００においては、面外方向への変形を効果的に抑制するための専用の部材や特別な工法を用いる必要がないため、部品コストの増大や施工性の悪化を抑制することができる。さらに、腰壁１００においては、一般的な腰壁を構成する部材の強度や剛性を強くしたり、当該腰壁の上端部を面外方向から支持する控え梁等の部材を追加したりすることなく、耐風強度を確保することができる。
【００７５】
また、本実施形態に係る腰壁１００は、長手方向の長さが８００ｃｍであり、一般的な腰壁と比べて長く形成されている。したがって、腰壁１００は、一般的な腰壁と比べて面外方向への撓みが発生し易いが、上述の如き構成を有するため、効果的に耐風強度を確保できる。
【００７６】
また、腰壁１００においては、
前記上梁１２０（第一の横架材）は、
前記長手方向（横架方向）において前記中間通し柱１１３（通し柱）を挟んだ一方側と他方側とが別体で形成されているものである。
【００７７】
このような構成により、上梁１２０においては、西側上梁１２１（一方側）の撓み、及び、東側上梁１２２（他方側）の撓みによる当該上梁１２０の全体としての撓みを、別体で形成されていない場合の撓みよりも小さくすることができる。こうして、腰壁１００においては、上梁１２０の撓みを極力抑制でき、耐風強度を効果的に確保できる。特に本実施形態において、上梁１２０は、全体として長手方向の長さが８００ｃｍであって、比較的長く形成されるものであるため、上述の如く別体で形成することにより大きな効果を得ることができる。
【００７８】
また、腰壁１００においては、
前記上梁１２０（第一の横架材）の下方で横架された第二の横架材（中間梁１４０及び下梁１３０）をさらに具備し、
前記中間通し柱１１３（通し柱）は、
前記第二の横架材に固定されているものである。
【００７９】
このような構成により、中間通し柱１１３に対して撓む方向への力がかかった（風圧を受けた）場合であっても、上梁１２０とは異なる梁により当該中間通し柱１１３の長手方向中途部を固定しているため、当該中間通し柱１１３の撓みを極力抑制することができる。こうして、腰壁１００においては、耐風強度を効果的に確保できる。
【００８０】
また、腰壁１００においては、
前記第二の横架材（中間梁１４０及び下梁１３０）は、
前記長手方向（横架方向）において前記中間通し柱１１３（通し柱）を挟んだ一方側と他方側とが別体で形成されているものである。
【００８１】
このような構成により、上述の如き上梁１２０だけでなく、中間梁１４０及び下梁１３０も別体で形成されている。すなわち、中間梁１４０においては、西側中間梁１４１（一方側）の撓み、及び、東側中間梁１４２（他方側）の撓みによる当該中間梁１４０の全体としての撓みを、別体で形成されていない場合の撓みよりも小さくすることができる。また、下梁１３０においては、西側下梁１３１（一方側）の撓み、及び、東側下梁１３２（他方側）の撓みによる当該下梁１３０の全体としての撓みを、別体で形成されていない場合の撓みよりも小さくすることができる。こうして、腰壁１００においては、中間梁１４０及び下梁１３０の撓みを極力抑制でき、耐風強度を効果的に確保できる。
【００８２】
また、腰壁１００においては、
前記第二の横架材は、
前記腰壁１００の下部に横架された下梁１３０（第三の横架材）と、
上下方向において前記上梁１２０（第一の横架材）と前記下梁１３０（第三の横架材）との間の中途部に横架された中間梁１４０（第四の横架材）と、を含み、
前記中間梁１４０（第四の横架材）は、
前記上梁１２０（第一の横架材）及び前記下梁１３０（第三の横架材）よりも前記上下方向の幅が長く形成されているものである。
【００８３】
ここで、腰壁１００において、中間通し柱１１３に対して撓む方向への力がかかった（風圧を受けた）場合、当該中間通し柱１１３固定された３本の梁のうち、上端部に配置された上梁１２０や下部（下端部近傍）に配置された下梁１３０よりも、中間梁１４０の方が大きな力を受けることとなる。そこで、腰壁１００においては、中間梁１４０の上下方向の幅が長くなるように形成し、当該中間梁１４０の強度を他の梁よりも高く設定している。こうして、腰壁１００においては、耐風強度を効果的に確保できる。
【００８４】
なお一般的に、腰壁に関しては、意匠の観点から様々な外観が要求される。このような要求には、高さを高くする（上下方向幅を長くする）ことや、長手方向（水平方向）の長さを長くすることや、構成材料（面外方向の幅）を太くしないこと等が含まれる。ただし、このような外観に関する要求を満たすと、耐風圧性の低下を招く恐れもあった。しかしながら、本実施形態に係る腰壁１００の構造とすることにより、外観に関する要求を満たしながらも、耐風圧性に関する要求も満たすことができるため、当該腰壁１００は一般的な腰壁と比較した有利な効果を有している。
【００８５】
なお、住宅１は、建築物の実施の一形態である。
また、中間通し柱１１３は、通し柱の実施の一形態である。
また、上梁１２０は、第一の横架材の実施の一形態である。
また、下梁１３０及び中間梁１４０は、第二の横架材の実施の一形態である。
また、下梁１３０は、第三の横架材の実施の一形態である。
また、中間梁１４０は、第四の横架材の実施の一形態である。
【００８６】
また、腰壁１００は、腰壁の実施の一形態である。なお、本発明に係る「腰壁」とは、少なくとも上端部が、水平方向における両端部を除いて、例えば控え梁のような部材で拘束されていない壁を指すものである。
【００８７】
以上、一実施形態を説明したが、本発明は上記構成に限定されるものではなく、特許請求の範囲に記載された発明の範囲内で種々の変更が可能である。
【００８８】
例えば、建築物の実施の一形態として木造住宅を例示したが、これに限定するものではなく、軽量鉄骨等の木造以外の構造の住宅であってもよい。また、建築物は、住宅に限定するものではなく、オフィスビルや病院等であってもよい。
【００８９】
また、腰壁１００の大きさ、すなわち腰壁１００を構成する各種の部材（上梁１２０等）の大きさは、本実施形態のものに限定するものではない。
【００９０】
また、腰壁１００の長手方向における中途部に、通し柱として中間通し柱１１３だけ（すなわち、１本の通し柱だけ）が配置されているが、複数の通し柱が配置されるものであってもよい。また、中間通し柱１１３が配置される場所は、本実施形態に係るものに限定するものではなく、例えば腰壁１００の長手方向における中央部等であってもよい。
【００９１】
また、本実施形態においては、腰壁１００が備える３本の梁（上梁１２０、中間梁１４０及び下梁１３０）の全てが別体で形成されているが、これに限定するものではない。例えば、３本の梁のうち１本だけが別体であったり、３本の梁のうち２本だけが別体であったりすることができる。また、このような場合、別体である梁は、３本の梁のうちの任意の梁を選択することができる。なお、腰壁１００は、中間通し柱１１３を具備するものであれば、３本の梁のいずれかが必ずしも別体で形成されなくてもよい。
【００９２】
また、中間梁１４０の構成は、本実施形態に係るものに限定するものではない。以下において詳細に説明する。
【００９３】
以下では、図８を用いて、中間梁１４０の別例である中間梁２４０を備えた、本発明の第二実施形態に係る腰壁２００の構造について説明する。
【００９４】
中間梁２４０が中間梁１４０と大きく異なる点は、中間梁２４０は、上下方向に互いに離間して配置された第一中間梁２４０ａ及び第二中間梁２４０ｂを有する点である。すなわち、中間梁２４０は、上下方向において複数段となるように形成される。
【００９５】
第一中間梁２４０ａは、東西方向において、中間通し柱１１３を挟んで２つ（第一西側中間梁２４１ａ及び第一東側中間梁２４２ａ）に分割されている。また、第二中間梁２４０ｂは、東西方向において、中間通し柱１１３を挟んで２つ（第二西側中間梁２４１ｂ及び第二東側中間梁２４２ｂ）に分割されている。
【００９６】
第一中間梁２４０ａは、上下方向幅（図８に示すＷ２ａ）が２１ｃｍとなるように形成される。また、第二中間梁２４０ｂは、上下方向幅（図８に示すＷ２ｂ）が２１ｃｍとなるように形成される。すなわち、中間梁２４０の上下方向幅（第一中間梁２４０ａ及び第二中間梁２４０ｂの上下方向幅を合算した長さ）は、上梁１２０及び下梁１３０それぞれよりも長く形成される。
【００９７】
以上のように、第二実施形態に係る腰壁２００においては、
前記中間梁２４０（第四の横架材）は、
前記上下方向に互いに離間して複数配置されているものである。
【００９８】
このような構成により、中間通し柱１１３に対して撓む方向への力がかかった（風圧を受けた）場合であっても、上梁１２０とは異なる梁により当該中間通し柱１１３の長手方向中途部を固定しているため、当該中間通し柱１１３の撓みを極力抑制することができる。こうして、腰壁２００においては、耐風強度を効果的に確保できる。
【００９９】
また、中間梁２４０においては、第一中間梁２４０ａ及び第二中間梁２４０ｂそれぞれの上下方向幅は、上梁１２０や下梁１３０よりも短く形成されるが、中間梁２４０の全体としての上下方向幅は、上梁１２０や下梁１３０よりも長く形成される。このような構成により、腰壁２００においては、耐風強度を効果的に確保できる。
【０１００】
なお、第二実施形態に係る腰壁２００においては、中間梁２４０が２本配置される構成としたが、３本以上配置されるものであってもよい。
【符号の説明】
【０１０１】
１      住宅
２      基礎
１１３  中間通し柱
１２０  上梁
【図１】
2018115451.tif 000003
【図２】
2018115451.tif 000004
【図３】
2018115451.tif 000005
【図４】
2018115451.tif 000006
【図５】
2018115451.tif 000007
【図６】
2018115451.tif 000008
【図７】
2018115451.tif 000009
【図８】
2018115451.tif 000010